(57)【要約】【課題】作業員が作業順序を気にせずに点検作業を行えるとともに、取得データの分類作業の負担軽減を図ることのできる作業支援装置及び作業支援システムを提供することを目的とする。【解決手段】入力部１２と、表示部１３と、保守点検作業を点検工程又は点検場所に応じて分類した各項目を選択枝として表示部に表示する表示制御部１４１と、一の項目が選択された場合に、選択された項目を保持する項目保持部１４２と、保守点検作業に関する画像情報が入力された場合に、該画像情報と項目保持部により保持されている項目とを対応付けて記憶する画像情報記憶部１４３とを具備する作業支援装置を提供する。【選択図】      図１
2007140738.tif 000002
【特許請求の範囲】
【請求項１】
入力手段と、
表示手段と、
保守点検作業を点検工程又は点検場所に応じて分類した各項目を選択枝として表示手段に表示する表示制御手段と、
一の前記項目が選択された場合に、選択された前記項目を保持する項目保持手段と、
保守点検作業に関する画像情報が入力された場合に、該画像情報と前記項目保持手段により保持されている項目とを対応付けて記憶する画像情報記憶手段と
を具備する作業支援装置。
【請求項２】
前記保守点検作業時に参照する基本情報を前記項目と対応付けて記憶する基本情報記憶手段と、
一の前記項目が選択された場合に、前記基本情報記憶手段から対応する基本情報を抽出する抽出手段と
を備え、
前記表示制御手段は、前記抽出手段により抽出された前記基本情報を前記表示手段に表示する請求項１に記載の作業支援装置。
【請求項３】
前記表示制御手段が、前記画像情報記憶手段に記憶されている画像情報又は前記基本情報を前記表示手段に表示しているときに、前記入力手段から情報が入力された場合に、前記入力情報を前記画像情報又は前記基本情報と関連付けて記憶する付加情報記憶手段を具備する請求項１又は請求項２に記載の作業支援装置。
【請求項４】
前記画像情報のファイル形式及び前記項目が、前記保守点検作業に関しての作業報告書の形式に基づくものである請求項１から請求項３のいずれかの項に記載の作業支援装置。
【請求項５】
複数の保守点検作業に関する情報及び各前記保守点検作業を点検工程又は点検場所に応じて分類した各項目の情報を保有する作業情報管理装置と、前記作業情報管理装置から情報を取得して実行することにより保守点検作業の支援を行う作業支援装置とを備える作業支援システムであって、
前記作業支援装置は、
入力手段と、
表示手段と、
これから実施する保守点検作業に関する前記項目の情報を前記作業情報管理装置から取得する情報取得手段と、
取得した前記項目を選択枝として表示手段に表示する表示制御手段と、
一の前記項目が選択された場合に、選択された前記項目を保持する項目保持手段と、
保守点検作業に関する画像情報が入力された場合に、該画像情報と前記項目保持手段により保持されている項目とを対応付けて記憶する画像情報記憶手段と
を具備する作業支援システム。
【請求項６】
保守点検作業を点検工程又は点検場所に応じて分類した各項目を選択枝として表示し、
一の前記項目が選択された場合に、選択された前記項目を保持し、
保守点検作業に関する画像情報を取得した場合に、該画像情報と前記項目保持手段により保持されている項目とを対応付けて記憶する作業支援方法。
【請求項７】
保守点検作業を点検工程又は点検場所に応じて分類した各項目を選択枝として表示する処理と、
一の前記項目が選択された場合に、選択された前記項目を保持する処理と、
保守点検作業に関する画像情報を取得した場合に、該画像情報と前記項目保持手段により保持されている項目とを対応付けて保存する処理と
をコンピュータに実行させるための作業支援プログラム。
【発明の詳細な説明】
【技術分野】
【０００１】
本発明は、保守点検作業に関するものであり、特に、保守点検作業に関するデータの仕分けを容易に行うための作業支援装置及び作業支援システムに関するものである。
【背景技術】
【０００２】
例えば、クレーン、橋梁、煙突などの保守点検作業では、多量のカメラ画像、手書きメモ、手書きスケッチデータ等を取得する必要があり、作業後のデータ仕分け作業に多くの時間がかかる。
従来、このような多量のデータを容易に分類する技術として、特開２００５−３３４４８号公報（特許文献１）に開示されているものがある。特許文献１に開示の技術では、作業点検作業の作業過程が予め決められた順番で行われる点に着目することにより、撮影を行う際に、ユーザが作業場面の情報を入力しなくても、それらの撮影画像を作業場面毎に自動的に分類する技術が開示されている。
【特許文献１】特開２００５−３３４４８号公報
【発明の開示】
【発明が解決しようとする課題】
【０００３】
しかしながら、クレーンや橋梁等の保守点検作業では、点検場所や点検工程は決定されているが、これらの点検順序は作業を行う作業員によりその場で決められることが通常である。従って、予め決められている作業手順に従って画像を撮ることを前提としている従来の技術では、撮影画像と作業場面との対応付けがうまくできず、分類作業が更に煩雑になってしまうおそれがある。
また、保守点検作業においては、画像データだけでなく、手書きメモや手書きスケッチなども多量に作成されるため、これらの内容についても電子データとして保存でき、且つ自動分類されることが望まれていた。
【０００４】
本発明は、上記問題を解決するためになされたもので、作業員が作業順序を気にせずに点検作業を行えるとともに、取得データの分類作業の負担軽減を図ることのできる作業支援装置及び作業支援システムを提供することを目的とする。
【課題を解決するための手段】
【０００５】
上記課題を解決するために、本発明は以下の手段を採用する。
本発明は、入力手段と、表示手段と、保守点検作業を点検工程又は点検場所に応じて分類した各項目を選択枝として表示手段に表示する表示制御手段と、一の前記項目が選択された場合に、選択された前記項目を保持する項目保持手段と、保守点検作業に関する画像情報が入力された場合に、該画像情報と前記項目保持手段により保持されている項目とを対応付けて記憶する画像情報記憶手段とを具備する作業支援装置を提供する。
【０００６】
上記構成によれば、保守点検作業の項目が選択枝として表示されるので、点検作業者は表示された項目の中から、これから実施する作業に応じた項目を選択することが可能となる。これにより、作業点検者の望む順序で作業点検を進めることができる。
更に、作業点検において取得された画像情報は、現在実施している項目に対応付けられて画像情報記憶手段に保存されるので、各画像を作業別に分類して保持することが可能となる。これにより、事後的に行われる画像情報の分類作業の負担軽減を図ることができる。
【０００７】
上記作業支援装置は、前記保守点検作業時に参照する基本情報を前記項目と対応付けて記憶する基本情報記憶手段と、一の前記項目が選択された場合に、前記基本情報記憶手段から対応する基本情報を抽出する抽出手段とを備え、前記表示制御手段が、前記抽出手段により抽出された前記基本情報を前記表示手段に表示するようにしても良い。
【０００８】
このような構成によれば、保守点検作業時に参照する基本情報が項目毎に基本情報記憶手段に記憶されており、作業員によって項目が選択された場合には、その項目に対応する基本情報が表示手段に表示される。これにより、作業員はこの基本情報を参照しながら速やかに各項目の点検作業を進めることができる。
【０００９】
上記作業支援装置において、前記表示制御手段が、前記画像情報記憶手段に記憶されている画像情報又は前記基本情報を前記表示手段に表示しているときに、前記入力手段から情報が入力された場合に、前記入力情報を前記画像情報又は前記基本情報と関連付けて記憶する付加情報記憶手段を具備すると良い。
【００１０】
これにより、画像情報又は基本情報に対してメモやコメント等が入力された場合に、そのメモやコメント等を画像情報又は基本情報と関連付けて保存されることとなるので、点検箇所がどのような状態であったかなどをメモやコメント等として画像情報とともに分類して保存することが可能となる。この結果、点検書類の分類作業の負担を更に軽減させることが可能となる。
【００１１】
更に、前記画像情報のファイル形式及び前記項目が、前記保守点検作業に関しての作業報告書の形式に基づくものであると良い。
【００１２】
このように、画像情報のファイル形式及び前記項目が、保守点検作業に関しての作業報告書の形式に基づいているので、作業報告書の作成時において、これらの情報をそのまま転用することが可能となる。これにより、作業報告書の作成を迅速に且つ容易に行うことができる。
【００１３】
本発明は、複数の保守点検作業に関する情報及び各前記保守点検作業を点検工程又は点検場所に応じて分類した各項目の情報を保有する作業情報管理装置と、前記作業情報管理装置から情報を取得して実行することにより保守点検作業の支援を行う作業支援装置とを備える作業支援システムであって、前記作業支援装置は、入力手段と、表示手段と、これから実施する保守点検作業に関する前記項目の情報を前記作業情報管理装置から取得する情報取得手段と、取得した前記項目を選択枝として表示手段に表示する表示制御手段と、一の前記項目が選択された場合に、選択された前記項目を保持する項目保持手段と、保守点検作業に関する画像情報が入力された場合に、該画像情報と前記項目保持手段により保持されている項目とを対応付けて記憶する画像情報記憶手段とを具備する作業支援システムを提供する。
【００１４】
上記作業支援システムにおいて、前記作業支援装置が、前記画像情報記憶手段に記憶されている情報を前記作業情報管理装置へ送信し、前記作業情報管理装置が、前記作業支援装置から受信した前記情報を、該当する前記保守点検作業に対応付けて記憶するようにしても良い。
【００１５】
本発明は、保守点検作業を点検工程又は点検場所に応じて分類した各項目を選択枝として表示し、一の前記項目が選択された場合に、選択された前記項目を保持し、保守点検作業に関する画像情報を取得した場合に、該画像情報と前記項目保持手段により保持されている項目とを対応付けて記憶する作業支援方法を提供する。
【００１６】
本発明は、保守点検作業を点検工程又は点検場所に応じて分類した各項目を選択枝として表示する処理と、一の前記項目が選択された場合に、選択された前記項目を保持する処理と、保守点検作業に関する画像情報を取得した場合に、該画像情報と前記項目保持手段により保持されている項目とを対応付けて保存する処理とをコンピュータに実行させるための作業支援プログラムを提供する。
【発明の効果】
【００１７】
本発明によれば、作業員が作業順序を気にせずに点検作業を行えるとともに、取得データの分類作業の負担を軽減させることができるという効果を奏する。
【発明を実施するための最良の形態】
【００１８】
以下に、本発明に係る作業支援システムの一実施形態について、図面を参照して説明する。
図１は、本実施形態に係る作業支援システムの概略構成を示したブロック図である。
図１に示すように、作業支援システムは、作業支援装置１及び作業情報管理装置２を備えて構成されている。作業支援装置１及び作業情報管理装置２は、ネットワークを介して接続されており、互いに情報の送受が可能な構成を取る。
【００１９】
作業支援装置１は、例えば、小型のパーソナルコンピュータ、ＰＤＡ等であり、内部に、ＣＰＵ、ＲＡＭ等の主記憶装置、上記処理の全て或いは一部を実現させるためのプログラムが記録されたコンピュータ読み取り可能な記録媒体を備えている。そして、後述する処理部１４が備える各部により実現される各種機能は、ＣＰＵが上記記憶媒体に記録されているプログラムを読み出して、情報の加工・演算処理を実行することにより実現される。上記コンピュータ読み取り可能な記録媒体とは、例えば、磁気ディスク、光磁気ディスク、ＣＤ−ＲＯＭ、ＤＶＤ−ＲＯＭ、半導体メモリ等である。
【００２０】
図１に示すように、作業支援装置１は、入力部１２、表示部１３、処理部１４、通信部１５を備えて構成されている。
入力部１２は、処理部１４に対して様々な入力指示及び文字情報を与えるためのものであり、例えば、タッチペン１２１、電子ペン１２２等を備えている。表示部１３は、例えば、液晶ディスプレイ等である。
処理部１４は、表示制御部１４１、項目保持部１４２、画像情報記憶部１４３、基本情報記憶部１４４、及び付加情報記憶部１４５を備えている。通信部１５は、作業情報管理装置２との間で情報を授受するものである。
更に、上記作業支援装置１は、ディジタルカメラ３と無線又は有線により接続されている。ディジタルカメラ３により取得された画像データは、無線又は有線により作業支援装置１の処理部１４に出力される。なお、このディジタルカメラは、作業支援装置１の本体に一体的に取り付けられていても良い。
【００２１】
作業情報管理装置２は、例えば、ネットワーク上に設置されたサーバ等である。
作業情報管理装置２は、複数の保守点検作業に関する情報を記憶管理するものであり、本実施形態では、クレーンの保守点検に関するクレーン保守点検情報、橋梁の保守、作業者への作業指示情報、作業者の登録管理情報、および作業の進捗情報等の点検に関する橋梁保守点検情報を記憶・管理している。
【００２２】
各保守点検情報は、点検工程又は点検場所に応じて分類された各項目の情報を有している。例えば、クレーン保守点検情報は、「テンションバー」、「バックスティ」、「上部支柱」、「カンチレバーガーダ」、「ガーダ」、「斜材」、「後部斜材」、「脚（海・陸）」、「脚間水平材」、「走行部」、「機械室下部」、「ホッパー」、「トロリ」、「エレベータシャフト」の各項目を有している。
【００２３】
また、橋梁保守点検情報は、「路面」、「主桁」、「対向溝」、「支承」、「床版」、「下部工」の各項目を有している。
更に、上記クレーン保守点検情報並びに橋梁保守点検情報は、それぞれ各項目毎に、保守点検を行う際に参照される基本情報、例えば、作業点検のマニュアル、留意点、参考図等を有している。
【００２４】
次に、上記構成を備える作業支援システムの作用について説明する。
ここでは、まず、クレーン保守点検が行われる場合について説明する。
まず、保守点検開始の指示がタッチペン１２１から入力されると、処理部１４の表示制御部は、表示部１３に認証画面を表示する。この認証画面において、作業者により正しいIDおよびパスワードが入力されると、表示制御部１４１は、図２に示すような保守点検初期画面（以下、単に「初期画面」という。）を表示部１３に表示する。初期画面には、作業情報管理装置２により管理される複数の保守点検作業が選択枝として表示される。本実施形態では、「クレーン保守点検作業」と「橋梁保守点検作業」とが選択枝として表示される。
【００２５】
この画面において、作業員によりタッチペン１２１が操作されることにより、「クレーン保守点検作業」が選択されると、処理部１４は、通信部１５を介して作業情報管理装置２に接続し、作業情報管理装置２からクレーン保守点検情報をダウンロードする。これにより、クレーン保守点検情報がネットワークを介して取得され、処理部１４内の基本情報記憶部１４４に保存される。
【００２６】
続いて、処理部１４の表示制御部１４１は、基本情報記憶部１４４に格納したクレーン保守点検情報に基づいて、クレーン保守点検の各項目を選択枝として示した項目選択画面を表示部１３に表示する。図３に、項目選択画面の一例を示す。この図に示すように、項目選択画面の左端には、クレーン保守点検の各項目が選択枝として表示されている。この画面において、作業員によってタッチペン１２１が操作されることにより、これから実施する項目、例えば、「脚（海・陸）」が選択されると、処理部１４の項目保持部１４２は、選択された項目を保持するとともに、表示制御部１４１は、選択された項目である「脚（海・陸）」に対応付けられている基本情報を読み出して表示部１３に表示する。これにより、図３に示すように、画面中央部に、作業員により選択された項目の基本情報（ここでは、参考図を一例にあげている）が表示される。
【００２７】
更に項目選択画面の上部には、点検作業を支援するために必要な各種機能ボタンが表示されている。ここでは、機能ボタンとして、マニュアルボタン４１、撮影ボタン４２、ペイントボタン４３、動画音声通信ボタン４４、ヘルプボタン４５、作業中断ボタン４６、及び作業終了ボタン４７が設けられている。
【００２８】
マニュアルボタン４１は、選択した項目のマニュアルを表示させるためのボタンである。このボタンが押下されると、処理部１４の表示制御部１４１は、基本情報記憶部１４４から現在選択されている項目のマニュアルデータを取得し、これを表示部１３に表示する。これにより、これから実施する点検作業の説明等が表示されることとなる。
撮影ボタン４２は、ディジタルカメラ３による撮影を行う際に操作されるボタンである。このボタンが操作されると、処理部１４の表示制御部１４１は、表示画面を撮影画面に切り替える。この撮影画面についての詳細は後述する。
【００２９】
ペイントボタン４３は、ディジタルカメラ３により取得された画像データにメモやコメントを追加記載する際に操作されるボタンである。このボタンが操作されると、処理部１４の表示制御部１４１は、表示画面をペイント画面に切り替える。このペイント画面についての詳細は後述する。
動画音声通信ボタン４４は、音声や動画を入力する際に操作されるボタンである。
作業中断ボタン４６は作業を中断する際に操作されるボタン、作業終了ボタン４７は作業を終了する際に操作されるボタンである。
更に、この画面下部には、画面中央部に表示された基本情報に対してコメントやメモを入力するためのメモボタンが設けられている。この作業員は、このメモボタンを押下することにより、参考図として表示された各部の点検状態等をメモとして書き込むことができる。これら書き込まれたメモ情報は、処理部１４により当該基本情報に関連付けられて付加情報記憶部１４５に格納される。
【００３０】
さて、図３に示した項目選択画面において、写真撮影を行うべく、作業員により撮影ボタン４２が操作（押下）されると、処理部１４の表示制御部１４１は、表示画面を撮影画面に切り替える。この撮影画面において、ディジタルカメラ３のシャッタが押され、送信操作が行われることにより、処理部１４に画像データが入力されると、処理部１４の表示制御部１４１は受信した画像データを撮影画面に表示する。
ここで、図４に撮影画面の一例を示す。図４に示すように、撮影画面の中央部には、ディジタルカメラ３により取得された画像を表示する画像表示エリア５０が設けられている。処理部１４の表示制御部１４１は、この画像表示エリア５０に、ディジタルカメラ３から受信した画像を表示する。
【００３１】
この画面にて、画像表示エリア５０に表示されている画像を登録すべく、作業員により保存ボタン５１が押下されると、処理部１４は、項目保持部１４２に保持されている項目と画像とを対応付けて画像データ記憶部１４３に格納する。このとき、画像データのデータ形式は、後述の作業報告書の形式に応じたものとされていることが好ましい。これにより、点検作業後に行われる作業報告書作成の際に、これら画像データをそのまま転用することが可能となる。
また、撮影画面において画像表示エリア５０の下部には、登録した画像が随時表示される登録画像表示エリア５２が設けられている。
【００３２】
続いて、この画像にコメント等を追加するべく、作業員によりペイントボタン４３が押下されると、処理部１４の表示制御部１４１は、ペイント画面を表示する。ペイント画面は、図５に示すように、画面中央に編集を行う画像データを表示する編集エリア６０が、画面下部に当該項目について登録された画像を表示する登録画像表示エリア６１が、画面右側にテキストデータや図形データを入力するための、いわゆるお絵かきツール６２が設けられた画面である。この画面において、作業員により、編集を希望する画像が登録画像標示エリア６１から選択されると、表示制御部１４１は、選択された画像を編集エリア６０に表示する。
【００３３】
この画像に対して、お絵かきツール６２を用いた編集作業が行われることにより、画像データとは異なるレイヤーにメモやコメントが追加され、保存ボタン６３が押下されると、処理部１４は、コメント等を記載するレイヤーに書かれたコメント等の情報を編集エリア６０に表示されている画像データに関連付けて付加データ記憶部１４５に格納する。
なお、上記撮影画面及びペイント画面には、終了ボタン４８が設けられており、この終了ボタン４８を操作することにより、項目選択画面に画面遷移することが可能となっている。
【００３４】
そして、作業員によって上記ディジタルカメラによる画像データの取得や、コメント入力作業等が繰り返し行われることにより、現在選択されている項目に対応付けて多数の写真並びにコメントやメモ等が画像データ記憶部１４３並びに付加データ記憶部１４５に格納される。
【００３５】
そして、当該項目に関する保守点検作業が終了し、続いて、次の項目に関する作業点検を行うべく、項目選択画面にて異なる項目が作業員によって選択されると、処理部１４の項目保持部１４２は、保持している項目を新たに選択された項目に変更する。これにより、選択された新たな項目についての点検作業に関する画像データ等の取得作業が上述の手順に習って実施される。
【００３６】
このようにして、順次各項目についての保守点検作業が実施され、全ての項目についての保守点検作業が終了することにより、作業員により作業終了ボタン４７が押下されると、処理部１４は、今回の点検作業にて画像データ記憶部１４３及び付加データ記憶部１４５に格納された全ての情報を読み出し、通信部１５を介して作業情報管理装置２へ送信する。このとき、送信される情報には、クレーン保守点検作業の情報である旨を示す情報が付加される。
【００３７】
これにより、今回の保守点検作業にて作業員によって入力された画像情報並びにコメント等の文字情報等がネットワークを介して作業情報管理装置２に送られる。
作業情報管理装置２は、受信した情報が「クレーン点検作業」に関するものであると判別すると、この情報を１つのファイル情報として、自己が備えるクレーン点検作業管理フォルダの管理下に保存する。これにより、今回の作業点検データが１つのまとまりとなって管理されることとなる。
【００３８】
作業員は、クレーン点検作業終了後において今回の作業報告書を作成する際には、作業情報管理装置２のクレーン点検作業管理フォルダ内に格納されている上記画像データ及びメモ等を読み出し、報告書の形式に基づいて報告書を作成する。図６に、クレーン点検に関する報告書の一例を示す。このように、本実施形態においては、既に、点検作業中に入力した画像データやコメント及びメモ等が項目ごとに分類されて記憶されているので、作業員は容易にこれらの画像データを用いて、報告書を作成することが可能となる。
【００３９】
次に、橋梁保守点検作業が行われる場合について説明する。
橋梁保守点検を行う際には、上述した初期画面（図２参照）において、「橋梁保守点検作業」が作業員により選択されることとなる。
「橋梁保守点検作業」が選択されると、処理部１４は、通信部１５を介して作業情報管理装置２に接続し、作業情報管理装置２から「橋梁保守点検情報」をダウンロードする。これにより、クレーン保守点検情報がネットワークを介して取得され、基本情報記憶部１４４に格納される。
【００４０】
続いて、処理部１４の表示制御部１４１は、基本情報記憶部１４４に格納された「橋梁保守点検情報」に基づいて、橋梁保守点検の各項目を選択枝として提示する項目選択画面を表示部１３に表示する。図７に、橋梁保守点検に係る項目選択画面の一例を示す。この図に示すように、画面左端には、橋梁保守点検の各項目が選択枝として表示されている。この画面において、作業員によってこれから実施する項目、例えば、「主桁」が選択されると、処理部１４の表示制御部１４１は、選択された項目である「主桁」に対応付けられている基本情報を表示部１３に表示する。これにより、図７に示すように、画面中央部に、作業員により選択された項目の基本情報として参考図が表示される。
【００４１】
そして、橋梁保守点検においても、上述のクレーン保守点検と同様に、マニュアルボタン４１、撮影ボタン４２、ペイントボタン４３等が押下されることにより、橋梁保守点検作業が進められることとなる。図８に、項目選択画面に表示された基本情報としての参考図に対してコメントが入力された場合の項目選択画面の一例を、図９に主桁に関する画像データに対してコメントやメモなどが入力された場合のペイント画面の一例を示す。
【００４２】
そして、全ての項目について点検作業が終了することにより、作業終了ボタン４７が押下されると、処理部１４は、今回の点検作業にて取得した画像データ等を画像データ記憶部１４３及び付加データ記憶部１４５から読み出し、これらを通信部１５を介して作業情報管理装置２へ送信する。
これにより、今回の橋梁保守点検作業にて作業員によって取得された全ての情報がネットワークを介して作業情報管理装置２に送られる。
作業情報管理装置２は、受信した情報が橋梁点検作業に関するものであると判別すると、この情報を１つのファイル情報として、自己が備える橋梁点検作業管理フォルダの管理下に保存する。これにより、今回の作業点検データが１つのまとまりとなって管理されることとなる。
【００４３】
以上説明してきたように、本実施形態に係る作業支援システムによれば、点検作業を行うにあたり、保守点検作業の項目が選択枝として表示された項目選択画面を作業者に対して提供するので、点検作業者は表示された項目の中から、これから実施する作業に応じた項目を選択することが可能となる。これにより、作業点検者の望む順序で作業点検を進めることができる。
また、作業点検において取得された画像情報は、現在実施している項目に対応付けられて画像情報記憶部１４３に保存されるので、各画像を作業別に分類して保持することが可能となる。これにより、事後的に行われる画像情報の分類作業の負担軽減を図ることができる。
【００４４】
更に、作業員が画像情報又は基本情報に対してメモやコメント等を入力した場合に、そのメモやコメント等が画像情報又は基本情報と関連付けて保存されるので、メモやコメント等についても分類作業の負担軽減を図ることが可能となる。
【００４５】
なお、上述した実施形態においては、クレーン保守点検、及び橋梁保守点検について説明したが、これらは一例であり、他の保守点検についても適用することが可能である。例えば、煙突点検であれば、「鉄塔部」、「筒身部」、「エレベータシャフト」、「付帯電気設備」等が項目として挙げられる。
【００４６】
また、参照図において、より細やかな点検箇所を表示させるようにしても良い。例えば、図７に示した橋梁保守点検における項目「路面」において表示させる路面の参考図において、より細やかな点検箇所、例えば、「高欄・防護柵」、「地覆・中央分離帯・縁石」、「舗装」、「伸縮装置」、「排水施設」を表示させても良い。また、「主桁」において表示させる参考図において、より細やかな点検箇所「全体」、「支間中央」、「支点部」、「桁切欠部」を表示させても良い。
【００４７】
以上、本発明の実施形態について図面を参照して詳述してきたが、具体的な構成はこの実施形態に限られるものではなく、本発明の要旨を逸脱しない範囲の設計変更等も含まれる。
【図面の簡単な説明】
【００４８】
【図１】本発明の一実施形態に係る作業支援システムの概略構成を示した図である。
【図２】本発明の一実施形態における保守点検初期画面の一例を示した図である。
【図３】クレーン保守点検作業における項目選択画面の一例を示した図である。
【図４】クレーン保守点検作業における撮影画面の一例を示した図である。
【図５】クレーン保守点検作業におけるペイント画面の一例を示した図である。
【図６】クレーン保守点検作業における報告書の一例を示した図である。
【図７】橋梁保守点検作業における項目選択画面の一例を示した図である。
【図８】橋梁保守点検作業における項目選択画面に表示された基本情報としての参考図に対してコメントが入力された場合の項目選択画面の一例を示した図である。
【図９】橋梁保守点検作業におけるペイント画面の一例を示す。
【図１０】橋梁保守点検作業における報告書の一例を示した図である。
【符号の説明】
【００４９】
１  作業支援装置
２  作業情報管理装置
１２  入力部
１３  表示部
１４  処理部
１５  通信部
１２１  タッチペン
１２２  電子ペン
１４１  表示制御部
１４２  項目保持部
１４３  画像情報記憶部
１４４  基本情報記憶部
１４５  付加情報記憶部
【図１】
2007140738.tif 000003
【図２】
2007140738.tif 000004
【図３】
2007140738.tif 000005
【図４】
2007140738.tif 000006
【図５】
2007140738.tif 000007
【図６】
2007140738.tif 000008
【図７】
2007140738.tif 000009
【図８】
2007140738.tif 000010
【図９】
2007140738.tif 000011
【図１０】
2007140738.tif 000012